(57)【要約】本発明は、コンテンツのタイプ（すなわち、データタイプならびにメディア符号化方式）および物理的な媒体に依存せずに定義されるデータ構造を持つ、総称論理フォーマットを有する光ディスクを提供する。本発明の１つの実施形態によれば、データ処理システムによりアクセスされるようにデータを記憶するための、データ記憶媒体が提供される。データ記憶媒体は、その媒体内に記憶された種々のデータコンテンツを記述するための、その媒体内に記憶されたデータ構造を含んでいる。データ構造は、データコンテンツを含む少なくとも１つのコンテンツオブジェクトと、オブジェクトと関連付けられた、そのオブジェクトを記述するためのオブジェクト定義ファイルと、そのオブジェクトへの参照を有する目次を含む索引ファイルとを含む。本発明の総称論理フォーマットは、全くの新たなフォーマットを定義することを要さずに、任意の新たなコンテンツのタイプに容易に適合化させることが可能である。
2006510142.tif 000002
【特許請求の範囲】
【請求項１】
データ記憶媒体内に、該データ記憶媒体内に記憶された種々のデータコンテンツを記述するためのデータ構造を生成する方法であって、
前記媒体内に、データコンテンツを含む少なくとも１つのコンテンツオブジェクトを生成する工程と、
前記媒体内に、前記オブジェクトと関連付けられた、該オブジェクトを記述するオブジェクト定義ファイルを生成する工程と、
前記媒体内に、前記オブジェクトへの参照を有する目次を含む索引ファイルを生成する工程とを含むことを特徴とする方法。
【請求項２】
前記媒体内に、複数のコンテンツオブジェクトを生成する工程と、
前記媒体内に、再生されるコンテンツオブジェクトのプレゼンテーション定義を含む、プレゼンテーションファイルを生成する工程とをさらに含むことを特徴とする請求項１記載の方法。
【請求項３】
前記媒体内に、ファイルシステムを生成する工程をさらに含むことを特徴とする請求項２記載の方法。
【請求項４】
前記プレゼンテーションファイルが、メタ言語で書かれていることを特徴とする請求項２記載の方法。
【請求項５】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項４記載の方法。
【請求項６】
前記オブジェクト定義ファイルが、メタ言語で書かれていることを特徴とする請求項１記載の方法。
【請求項７】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項６記載の方法。
【請求項８】
前記索引ファイルが、メタ言語で書かれていることを特徴とする請求項１記載の方法。
【請求項９】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項８記載の方法。
【請求項１０】
前記データ記憶媒体が、光記憶媒体であることを特徴とする請求項１記載の方法。
【請求項１１】
光記憶媒体内に、該光記憶媒体内に記憶されたマルチメディアデータを記述するための論理フォーマットを生成する方法であって、
前記媒体内に、データコンテンツを含む少なくとも１つのコンテンツオブジェクトを生成する工程と、
前記媒体内に、前記オブジェクトと関連付けられた、該オブジェクトを記述するオブジェクト定義ファイルであって、メタ言語で書かれたオブジェクト定義ファイルを生成する工程と、
前記媒体内に、前記オブジェクトへの参照を有する目次を含む索引ファイルであって、メタ言語で書かれた索引ファイルを生成する工程とを含むことを特徴とする方法。
【請求項１２】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項１１記載の方法。
【請求項１３】
前記媒体内に、複数のコンテンツオブジェクトを生成する工程と、
前記媒体内に、再生されるコンテンツオブジェクトのプレゼンテーション定義を含む、プレゼンテーションファイルを生成する工程とをさらに含むことを特徴とする請求項１１記載の方法。
【請求項１４】
前記媒体内に、ファイルシステムを生成する工程をさらに含むことを特徴とする請求項１３記載の方法。
【請求項１５】
再生リスト定義ファイルが、メタ言語で書かれていることを特徴とする請求項１４記載の方法。
【請求項１６】
データ処理システムによりアクセスされるようにデータを記憶するための、データ記憶媒体であって、
当該媒体内に記憶された種々のデータコンテンツを記述するための、当該媒体内に記憶されたデータ構造を含み、
該データ構造が、
データコンテンツを含む少なくとも１つのコンテンツオブジェクトと、
前記オブジェクトと関連付けられた、該オブジェクトを記述するオブジェクト定義ファイルと、
前記オブジェクトへの参照を有する目次を含む索引ファイルとを含んでいることを特徴とするデータ記憶媒体。
【請求項１７】
前記データ構造が、複数のコンテンツオブジェクトと、プレゼンテーションファイルとをさらに含み、該プレゼンテーションファイルが、再生されるコンテンツオブジェクトのプレゼンテーション定義を含んでいることを特徴とする請求項１６記載のデータ記憶媒体。
【請求項１８】
前記データ構造が、ファイルシステムをさらに含んでいることを特徴とする請求項１７記載のデータ記憶媒体。
【請求項１９】
再生リスト定義ファイルが、メタ言語で書かれていることを特徴とする請求項１８記載のデータ記憶媒体。
【請求項２０】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項１９記載のデータ記憶媒体。
【請求項２１】
前記オブジェクト定義ファイルが、メタ言語で書かれていることを特徴とする請求項１６記載のデータ記憶媒体。
【請求項２２】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項２１記載のデータ記憶媒体。
【請求項２３】
前記索引ファイルが、メタ言語で書かれていることを特徴とする請求項１６記載のデータ記憶媒体。
【請求項２４】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項２３記載のデータ記憶媒体。
【請求項２５】
光記憶媒体であることを特徴とする請求項１６記載のデータ記憶媒体。
【請求項２６】
データ処理システムによりアクセスされるようにデータを記憶するための、光記憶媒体であって、
当該媒体内に記憶されたマルチメディアデータを記述するための、当該媒体の論理フォーマットを実装するデータ構造を含み、
該データ構造が、
データコンテンツを含む少なくとも１つのコンテンツオブジェクトと、
前記オブジェクトと関連付けられた、該オブジェクトを記述するオブジェクト定義ファイルであって、メタ言語で書かれたオブジェクト定義ファイルと、
前記オブジェクトへの参照を有する目次を含む索引ファイルであって、メタ言語で書かれた索引ファイルとを含んでいることを特徴とする光記憶媒体。
【請求項２７】
前記メタ言語が、ＸＭＬ（ｅＸｔｅｎｓｉｂｌｅ  Ｍａｒｋｕｐ  Ｌａｎｇｕａｇｅ）、ＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）、および特別に定義されたメタ言語のうちの１つを含んでいることを特徴とする請求項２６記載の光記憶媒体。
【請求項２８】
前記データ構造が、複数のコンテンツオブジェクトと、プレゼンテーションファイルとをさらに含み、該プレゼンテーションファイルが、再生されるコンテンツオブジェクトのプレゼンテーション定義を含んでいることを特徴とする請求項２６記載の光記憶媒体。
【請求項２９】
前記データ構造が、ファイルシステムをさらに含んでいることを特徴とする請求項２８記載の光記憶媒体。
【請求項３０】
再生リスト定義ファイルが、メタ言語で書かれていることを特徴とする請求項２９記載の光記憶媒体。
【請求項３１】
データコンテンツを含む少なくとも１つのコンテンツオブジェクトと、該オブジェクトと関連付けられた、該オブジェクトを記述するオブジェクト定義ファイルと、該オブジェクトへの参照を有する目次を含む索引ファイルとを含む、論理フォーマットを有するディスクを、再生するディスク再生装置であって、
前記索引ファイルをパーズして、前記目次を取得する手段と、
前記オブジェクトを選択するようにユーザーを促す手段と、
前記オブジェクト定義ファイルをパーズして、選択された前記オブジェクトが再生可能であるか否かを特定する手段と、
前記オブジェクトを再生する手段とを含むことを特徴とする再生装置。
【請求項３２】
前記オブジェクトが再生可能であるときに、該オブジェクトを、新たな目次に含める手段をさらに含むことを特徴とする請求項３１記載の再生装置。
【請求項３３】
前記新たな目次をユーザーに提示する手段をさらに含むことを特徴とする請求項３２記載の再生装置。
【請求項３４】
前記パーズする手段が、前記索引ファイルをパーズするためのパーサーが当該再生装置内において入手可能でないときに、該パーサーを前記ディスクから取得する手段を含んでいることを特徴とする請求項３１記載の再生装置。
【請求項３５】
前記取得する手段が、前記パーサーが当該再生装置内にも前記ディスク上にも存在しないときに、該パーサーをインターネットから取得するものであることを特徴とする請求項３４記載の再生装置。
【請求項３６】
データコンテンツを含む少なくとも１つのコンテンツオブジェクトと、該オブジェクトと関連付けられた、該オブジェクトを記述するオブジェクト定義ファイルと、該オブジェクトへの参照を有する目次を含む索引ファイルとを含む、論理フォーマットを有するディスクを、再生する方法であって、
前記索引ファイルをパーズして、前記目次を取得する工程と、
前記オブジェクトを選択するようにユーザーを促す工程と、
前記オブジェクト定義ファイルをパーズして、選択された前記オブジェクトが再生可能であるか否かを特定する工程と、
前記オブジェクトを再生する工程とを含むことを特徴とする方法。
【請求項３７】
前記オブジェクトが再生可能であるときに、該オブジェクトを、新たな目次に含める工程をさらに含むことを特徴とする請求項３６記載の方法。
【請求項３８】
前記新たな目次をユーザーに提示する工程をさらに含むことを特徴とする請求項３７記載の方法。
【請求項３９】
前記パーズする工程が、前記索引ファイルをパーズするためのパーサーを、前記ディスクから取得する工程を含んでいることを特徴とする請求項３６記載の方法。
【請求項４０】
前記取得する工程が、前記パーサーが前記ディスク上に存在しないときに、該パーサーをインターネットから取得する工程を含んでいることを特徴とする請求項３９記載の方法。
【発明の詳細な説明】
【技術分野】
【０００１】
本発明は、全般的には光ディスクに関するものであり、より詳細には、コンテンツのタイプおよび物理的な媒体に依存しない、総称論理フォーマットを有する光ディスクに関するものである。
【背景技術】
【０００２】
光ディスク等の光記憶媒体は、オーディオ、ビデオ、データ、および画像といった種々のタイプのメディアを記憶するために、広く使われている。光ディスク技術の開発過程においては、多数の物理ディスクフォーマットおよび論理ディスクフォーマットが生まれ、製品化されてきた。たとえば、物理的な媒体は、ＣＤからＤＶＤへ、さらにＢｌｕ−ｒａｙ（ブルーレイ）へと変遷の道を辿ってきており、将来的には、さらに別の新たな光記憶媒体への道を辿るであろう。ディスクの論理フォーマットに関しては、ＣＤオーディオ、ピクチャーＣＤ、ＶＣＤ、ＳＶＣＤ、ＤＶＤ等がある。メディアコンテンツのタイプには、オーディオフォーマットについてはＭＰＥＧ１、ＭＰＥＧ２、ＡＣ−３、ＭＰ３等が含まれ、ビデオフォーマットについてはＭＰＥＧ１、ＭＰＥＧ２、ＭＰＥＧ４、ＤＩＶＸ等が含まれる。これらのフォーマットのそれぞれは、長く詳細な仕様書において記述されている。
【発明の開示】
【発明が解決しようとする課題】
【０００３】
再生装置の製造元は、これらフォーマットのそれぞれに対してサポートを提供しなくてはならず、さもなければ市場におけるシェアの減少を被る。そのため、物理フォーマットであるか論理フォーマットであるかにかかわらず、新たなフォーマットの導入は、常に、多くの資源を要しかつ危険なプロセスであり、このプロセスは、たとえばコンテンツプロバイダや再生装置の製造元といった、様々な関係団体の緊密な協力を必要とする。さらに、消費者は、新たなフォーマットが導入されるごとに新世代の再生装置を購入することを強いられ、その購入する再生装置は、競合のフォーマットをサポートしていないかもしれない。加えて、すべてのコンテンツプロバイダが、その新たなフォーマットをサポートしているわけではないかもしれない。結果として、このことは、消費者の間に多大な混乱を生み、新たなフォーマットを採用する際の敷居を非常に高くする。
【０００４】
そのため、コンテンツのタイプおよび物理的な媒体に依存しない、総称論理フォーマットを有する光ディスクに対する需要が存在する。
【課題を解決するための手段】
【０００５】
本発明は、コンテンツのタイプ（すなわち、データタイプならびにメディア符号化方式）および物理的な媒体に依存せずに定義されるデータ構造を持つ、総称論理フォーマットを有する光ディスクを提供する。
【０００６】
本発明の１つの実施形態によれば、データ処理システムによりアクセスされるようにデータを記憶するための、データ記憶媒体が提供される。このデータ記憶媒体は、その媒体内に記憶された種々のデータコンテンツを記述するための、その媒体内に記憶されたデータ構造を含む。このデータ構造は、データコンテンツを含む少なくとも１つのコンテンツオブジェクトと、そのオブジェクトと関連付けられた、そのオブジェクトを記述するオブジェクト定義ファイルと、そのオブジェクトへの参照（リファレンス）を有する目次を含む、索引ファイルとを含んでいる。
【０００７】
本発明の総称論理フォーマットは、全くの新たなフォーマットを定義することを要さずに、任意の新たなコンテンツのタイプに容易に適合化させることが可能である。さらに、同一のディスク上に異なるタイプのコンテンツを記憶することも可能であり、これらのコンテンツは、関連を有するものであっても有さないものであってもよい。加えて、この総称論理フォーマットは、物理的な媒体に依存しないものであるので、ＤＶＤやＢｌｕ−ｒａｙディスクといった、任意の既存または将来の光ディスク媒体に実装が可能である。
【０００８】
本発明のその他の目的および達成される効果は、添付の図面と併せて、以下の説明および特許請求の範囲を参照することにより、本発明のより深い理解と共に明らかとなり、理解されるであろう。
【発明を実施するための最良の形態】
【０００９】
以下、添付の図面を参照して、例として、本発明をより詳細に説明する。全図面を通じて、同一の参照番号は、類似または対応の特徴または作用を示すものとする。
【００１０】
本発明によれば、ビデオ、オーディオ、またはデータといった特定のデータタイプに、ディスク上に記憶されたデータコンテンツが限定されないようなデータ構造を持つ、総称論理フォーマットを有するものとして、光ディスクが規定され、それらのコンテンツに関するアプリケーションまたは符号化方式（たとえば、ＭＰＥＧ２、ＭＰＥＧ４、ＤＩＶＸ等）は、その光媒体の物理フォーマットに依存する必要はない。このことは、ディスクのアプリケーション層を、ディスクの物理層に依存しないようにすることによって実現される。さらに、通常はディスクのリードイン領域に位置させられるコンテンツ認識ファイルが、物理層からアプリケーション層へと移される。こうすることにより、ディスクの物理フォーマットによらず、種々のデータタイプのコンテンツ、およびそれらのコンテンツに関連する種々のアプリケーションが、同一の光ディスク上に共存し、互いに相互作用することが可能となる。すなわち、たとえばＤＶＤディスク上にＣＤオーディオフォーマットを実装することが可能であるし、その逆もまた可能である。さらに、任意の将来の光ディスク媒体や、ランダムアクセス機能を有する他の記憶媒体（たとえば、ハードディスク、フラッシュメモリ等）において、既存の符号化方式（たとえばＤＶＤビデオ）を容易に実施することができるようになる。
【００１１】
図１は、本発明の１つの実施形態に係る光ディスク（記録可能なディスクであってもよいし、頒布されたＲＯＭディスクであってもよい）のアプリケーション層における、総称論理フォーマット１０を示した図である。総称論理フォーマット１０は、種々の符号化方式の様々なデータタイプを含む複数のコンテンツオブジェクトファイル１２と、コンテンツオブジェクトファイル１２と関連付けられた複数のオブジェクト定義ファイル１３と、再生されるオブジェクトに関するプレゼンテーション定義を記憶したプレゼンテーションファイル１６と、スタートアップファイルとして用いられる索引ファイル２０とを含んでいる。コンテンツオブジェクトファイル１２へのリンクのため、索引ファイル２０は、ディスク上の種々のタイプのファイル（たとえば、ビデオファイル２６、オーディオファイル３２、データファイル３６等）への参照を含む、目次（ＴＯＣ）２２を含んでいる。
【００１２】
この実施形態では、索引ファイル２０は、ＸＭＬ（ｅＸｔｅｎｓｉｂｌｅ  Ｍａｒｋｕｐ  Ｌａｎｇｕａｇｅ）のようなメタ言語で定義されている。さらに、コンテンツオブジェクトファイル１２の各々は、コンテンツのタイトル、コンテンツのタイプ、コンテンツの説明等を含む、関連付けられたオブジェクト定義ファイル１３を用いて定義されている。各オブジェクト定義ファイル１３は、好ましくは、たとえばＸＭＬといったメタ言語で書かれている。プレゼンテーションファイル１６は、同期およびタイミングを制御するために、メニューと再生リストとを含み、たとえばＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）といったメタ言語で書かれている。このＳＭＩＬファイルは、コンテンツオブジェクトをビデオスクリーン上に提示するため、関連付けられたオブジェクト定義ファイルから、コンテンツオブジェクトファイル１２に関する汎ＸＭＬ情報を取得することができる。当然ながら、これらのファイルはＸＭＬまたはＳＭＩＬで書かれたものでなくてもよい。特別に定義されたメタ言語を含む他のメタ言語を用いて、同一の目的を果たすことも可能である。
【００１３】
図２は、本発明の１つの実施形態に係る総称論理フォーマットを有する光ディスクに対する、再生装置の動作を示したフローチャートである。かかる再生装置は、典型的には、マイクロプロセッサを含んでいる。ディスクの読出し（ステップ１０２）に際して、再生装置は、その再生装置上において適当なパーサー（たとえばＸＭＬパーサー）が入手可能であるか否かを特定する（ステップ１０６）。適当なパーサーが再生装置上に存在しない場合には、再生装置は、かかるパーサーが、ディスクから（ステップ１１２）またはインターネット上において（ステップ１１６）入手可能であるか否かを特定する。パーサーを取得できない場合には、再生装置は、そのディスクが認識可能でないことをユーザーに告知し（ステップ１２２）、そのディスクを拒否する。一方、ディスクまたはネットワークからパーサーを取得できる場合には、再生装置は、パーサーを獲得する（ステップ１２６）。パーサーが取得されると、再生装置は、そのパーサーを用いて索引ファイル２０をパーズし（ステップ１３２）、ＴＯＣを取得する。再生装置は、ディスク上のオリジナルのＴＯＣから、コンテンツオブジェクトファイル１２を選択するようにユーザーを促し（ステップ１３６）、関連付けられたオブジェクト定義ファイルをパーズし（ステップ１４２）、そのオブジェクトのコンテンツのタイプが再生可能なものであるか否かを特定する（ステップ１４６）。そのオブジェクトがその再生装置によって再生可能なものでない場合には、再生装置は、別のオブジェクトを選択するようにユーザーを促し、上記と同じやり方で、関連付けられたオブジェクト定義ファイルをパーズする。しかしながら、そのオブジェクトが再生可能である場合には、再生装置は、そのオブジェクトを、再生装置内に記憶されているフィルタ済ＴＯＣ内に含め（ステップ１５２）、このオブジェクトがディスク上の最後のオブジェクトであるか否かを特定する。そのオブジェクトがディスク上の最後のオブジェクトでない場合には、ステップ１３６から１５６が繰り返される。すべてのオブジェクトがパーズされた後、再生装置は、再生可能なコンテンツを含むフィルタ済ＴＯＣを、ビデオスクリーン上において、ユーザーに提示する（ステップ１６２）。フィルタ済ＴＯＣは、その特定の再生装置上において再生可能なコンテンツオブジェクトのみへの参照を含む点で、プレゼンテーションファイル内の再生リストと異なる。
【００１４】
本発明では、ファイルシステムは必須ではないが、オプションとしてディスク内に含まれていてもよい。その場合、ファイルシステムと索引ファイルとは互いに独立であり、再生装置は、ファイルシステム由来のファイル名の使用と、索引ファイル由来のトラック番号の使用とのいずれによっても、コンテンツオブジェクトをアドレス指定することができる。
【００１５】
以上、具体的な実施形態と共に本発明を説明してきたが、上記の説明に照らして、多くの変更形態やバリエーションが当業者に明らかであることは、明白である。したがって、特許請求の範囲による本発明の精神および本発明の範囲に含まれるものとして、それらの変更形態やバリエーションのすべてを包含することが意図されている。
【図面の簡単な説明】
【００１６】
【図１】本発明の１つの実施形態に係る光ディスクのアプリケーション層における、総称論理フォーマットを示した図
【図２】本発明の１つの実施形態に係る総称論理フォーマットを有する光ディスクに対する、再生装置の動作を示したフローチャート
【図１】
2006510142.tif 000003
【図２】
2006510142.tif 000004
【国際調査報告】
2006510142.tif 000005
2006510142.tif 000006
2006510142.tif 000007